(57)【要約】【課題】本発明は、地中に場所打ちコンクリート杭を築造する築造方法に関し、オールケーシング工法において、設計杭径に略等しい杭径以上の杭径が確保された場所打ちコンクリート杭を築造する築造方法を提供することを目的とする。【解決手段】地表から掘削した、地中に築造すべき場所打ちコンクリート杭の杭径よりも大径で、その場所打ちコンクリート杭の上端近傍の補強すべき長さを含む深さの第１の掘削孔１１０内に、セメント系固化剤を混合した改良土を埋め戻して改良土壌３０を形成し、ケーシングチューブ４０を用いてその改良土壌３０を貫通して支持地盤層１００まで掘削した第２の掘削孔１２０内にそのケーシングチューブ４０を地上に引き上げつつコンクリート６０を打設する。【選択図】        図３
2008014000.tif 000002
【特許請求の範囲】
【請求項１】
地中に場所打ちコンクリート杭を築造する築造方法において、前記場所打ちコンクリート杭の杭径よりも大径で、該場所打ちコンクリート杭の上端近傍の補強すべき長さを含む深さの第１の掘削孔を地表から掘削し、セメント系固化剤を混合した改良土を前記第１の掘削孔内に埋め戻して改良土壌を形成し、場所打ちコンクリート杭築造用ケーシングチューブを、前記改良土壌を貫通して支持地盤層まで沈下して第２の掘削孔を掘削し、前記ケーシングチューブを地上に引き上げつつ前記第２の掘削孔内にコンクリートを打設することを特徴とする場所打ちコンクリート杭の築造方法。
【発明の詳細な説明】
【技術分野】
【０００１】
本発明は、地中に場所打ちコンクリート杭を築造する築造方法に関する。
【背景技術】
【０００２】
従来より、建築物や構築物等を築造する場合に、地中に場所打ちコンクリート杭を築造する技術がある。このような技術として、下端に掘削刃物が備えられたケーシングチューブを掘削孔全長にわたって全周回転圧入あるいは揺動圧入すると共に、圧入されたケーシングチューブ内の土砂をハンマーグラブを用いて地上に搬出して立坑（掘削孔）を地盤に掘削し、その掘削孔内に籠状に組み立てられた鉄筋を挿入して配筋し、トレミー管等を用いてコンクリートを打設しつつケーシングチューブを引抜いて場所打ちコンクリート杭を築造する、いわゆるオールケーシング工法が知られている。
【０００３】
このようなオールケーシング工法に使用するケーシングチューブは、一般に、ケーシングチューブの下端に備えられた掘削刃物（カッティングエッジ）の刃先外径（カッタ径）が、設計杭径（杭口径）に等しい公称径となっている。また、そのケーシングチューブの掘削刃物以外の部分の外径は、掘削途中の地盤との摩擦を減少させるために、公称径に対して２０ｍｍ程度小さな値となっている（例えば、非特許文献１参照。）。
【０００４】
ここで、オールケーシング工法で築造された場所打ちコンクリート杭の杭径は、設計杭径と略等しくなることが好ましい。ところが、このようなケーシングチューブを使用するオールケーシング工法で築造された場所打ちコンクリート杭の杭径は、ケーシングチューブの特性や、地盤の種類や、地盤の状態や、オペレータの技術などといった各種要因によって、使用するケーシングチューブの公称径に対して±２０〜３０ｍｍの範囲で変動した杭径となる可能性があるとされている（例えば、非特許文献２参照。）。
【０００５】
例えば、オールケーシング工法においてケーシングチューブを引き抜くまではそのケーシングチューブが掘削孔の孔壁を保持しているものの、コンクリートを打設しつつケーシングチューブを引き抜いた際に、地中の土圧が、打設されたコンクリートが杭周地盤に与える圧力（以下、この圧力を側圧と称する）よりも小さい場合は、築造された場所打ちコンクリート杭の杭径が、設計杭径よりも大きな杭径となる。このような場合は設計杭径が確保されるために問題はないものの、コンクリートを打設しつつケーシングチューブを引き抜いた際に、地中の土圧が打設されたコンクリートの側圧よりも大きい場合は、築造された場所打ちコンクリート杭の杭径が、設計杭径よりも小さな杭径となってしまい、設計杭径が確保されないこととなる。
【０００６】
ここで、コンクリートが打設された掘削孔内の各点における、打設されたコンクリートの側圧は、各点とコンクリート面の間にあるコンクリートの重量によるものであり、打設されたコンクリートのコンクリート面からの深さに比例する。そのため、側圧は、掘削孔の下部ほど大きく、上部に向かうに従って小さくなる。
【０００７】
従って、オールケーシング工法において、コンクリートを打設しつつケーシングチューブを引き抜いた際に、上述した、地中の土圧が打設されたコンクリートの側圧よりも大きくなるといった現象は、掘削孔の上部で発生しやすい。そのため、地盤の種類や地盤の状態によっては、築造された場所打ちコンクリート杭の杭頭部近傍の杭径が、設計杭径よりも小さな杭径となりやすい。
【０００８】
しかしながら、オールケーシング工法で築造された場所打ちコンクリート杭の杭径が、使用するケーシングチューブの公称径に対して変動した杭径となったとしても、変動量の定量的な評価は困難であるため、設計杭径は公称径とされている（例えば、非特許文献２参照。）。
【０００９】
そのため、設計杭径の算出に当たっては、オールケーシング工法で築造された場所打ちコンクリート杭の杭径が、使用するケーシングチューブの公称径に対して±２０〜３０ｍｍの範囲で変動した杭径となることが考慮されており、この範囲内で変動した杭径を有する場所打ちコンクリート杭は、強度的に問題ないとされている。
【非特許文献１】アタッチメント一覧表、「オールケーシング工法」、菱建基礎株式会社、２００４年２月、改−５００、ｐ２
【非特許文献２】「道路橋示方書（Ｉ共通編・ＩＶ下部構造編）・同解説」、改訂版、社団法人日本道路協会、平成１４年３月７日、ｐ４２０、正誤表
【発明の開示】
【発明が解決しようとする課題】
【００１０】
ところが、地盤の種類や、地盤の状態や、オペレータの技術などといった要因によっては、オールケーシング工法で築造された場所打ちコンクリート杭の杭径が、使用するケーシングチューブの公称径に対して、すなわち設計杭径に対して±２０〜３０ｍｍを超える範囲で変動した杭径となる可能性があることも知られている。
【００１１】
オールケーシング工法で築造された場所打ちコンクリート杭の杭径が設計杭径よりも３０ｍｍ以上太い杭径となる場合は、設計杭径以上の杭径が確保されていることから問題ないものの、その杭径が設計杭径よりも３０ｍｍ以上細い杭径となる場合は、築造された場所打ちコンクリート杭が強度不足のものとなるおそれがある。そのため、設計杭径よりも３０ｍｍ以上細い杭径を有する部分に、例えばコンクリートを新たに打ち直して補強するなどといった対策が必要となり、コストアップを招くこととなる。
【００１２】
本発明は、上記事情に鑑み、オールケーシング工法において、設計杭径に略等しい杭径以上の杭径が確保された場所打ちコンクリート杭を築造する築造方法を提供することを目的とするものである。
【課題を解決するための手段】
【００１３】
上記目的を達成する本発明の場所打ちコンクリート杭の築造方法は、地中に場所打ちコンクリート杭を築造する築造方法において、上記場所打ちコンクリート杭の杭径よりも大径で、その場所打ちコンクリート杭の上端近傍の補強すべき長さを含む深さの第１の掘削孔を地表から掘削し、セメント系固化剤を混合した改良土を上記第１の掘削孔内に埋め戻して改良土壌を形成し、場所打ちコンクリート杭築造用ケーシングチューブを、上記改良土壌を貫通して支持地盤層まで沈下して第２の掘削孔を掘削し、上記ケーシングチューブを地上に引き上げつつ上記第２の掘削孔内にコンクリートを打設することを特徴とする。
【００１４】
ここで、本発明における補強すべき長さは、地盤の強度、崩壊性、築造すべき場所打ちコンクリート杭の杭径等に応じて定められ、例えば、築造すべき場所打ちコンクリート杭の杭径の２倍に相当する長さとし、現地盤の状況に応じて定められる。
【００１５】
また、本発明において場所打ちコンクリート杭築造用ケーシングチューブとは、例えば全周回転式オールケーシング工法や揺動式オールケーシング工法等において使用される、下端に掘削刃物を有する鋼管であって、場所打ちコンクリート杭を形成する掘削孔を掘削し、その掘削孔内にコンクリートを打設しつつ引き上げる鋼管をいう。
【００１６】
本発明の場所打ちコンクリート杭の築造方法は、地表から掘削した、上記場所打ちコンクリート杭の杭径よりも大径で、その場所打ちコンクリート杭の上端近傍の補強すべき長さを含む深さの第１の掘削孔内に、セメント系固化剤を混合した改良土を埋め戻して改良土壌を形成し、場所打ちコンクリート杭築造用ケーシングチューブを用いてその改良土壌を貫通して支持地盤層まで掘削した第２の掘削孔内にそのケーシングチューブを地上に引き上げつつコンクリートを打設する方法である。
【００１７】
ここで、一般に、掘削孔の上部では、地中の土圧が、打設されたコンクリートが杭周地盤に与える圧力（以下、この圧力を側圧と称する）よりも大きくなるといった現象が発生しやすく、杭頭部近傍の杭径が設計杭径よりも小さな杭径となりやすい。ところが、本発明の場所打ちコンクリート杭の築造方法によれば、この場所打ちコンクリート杭の杭頭部近傍の杭周地盤が、この場所打ちコンクリート杭の杭径よりも大径な第１の掘削孔内に形成された上記改良土壌からなることとなるため、その改良土壌を貫通して掘削した第２の掘削孔の、設計杭径よりも小さな杭径となりやすい杭頭部近傍における孔壁が自立することとなり、その第２の掘削孔を掘削した時の掘削形状が保持される。
【００１８】
従って、本発明の場所打ちコンクリート杭の築造方法によれば、全周回転式オールケーシング工法や揺動式オールケーシング工法において、上記第２の掘削孔の上部で、地中の土圧が打設されたコンクリートの側圧よりも大きくなるといった現象が回避されるため、築造された場所打ちコンクリート杭において、設計杭径に略等しい杭径以上の杭径が確保される。
【発明の効果】
【００１９】
本発明によれば、オールケーシング工法において、設計杭径に略等しい杭径以上の杭径が確保された場所打ちコンクリート杭を築造する築造方法が提供される。
【発明を実施するための最良の形態】
【００２０】
以下、本発明の実施の形態を説明するのに先立って、地中に場所打ちコンクリート杭を築造する築造方法についての従来の技術の問題点について分析する。
【００２１】
図５，図６は、オールケーシング工法におけるケーシングチューブ７０を引き抜く工程の縦断面図である。
【００２２】
図５，図６に示すケーシングチューブ７０は、地中に場所打ちコンクリート杭を築造するオールケーシング工法に使用するケーシングチューブであって、下端に掘削刃物７１が備えられている。
【００２３】
このケーシングチューブ７０は、設計杭径が１０００ｍｍの杭径を有する場所打ちコンクリート杭を築造するために使用することを想定したものである。従って、下端に備えられた掘削刃物７１の刃先外径が、設計杭径に等しい１０００ｍｍとなっており、この１０００ｍｍがこのケーシングチューブ７０の公称径とされている。
【００２４】
また、このケーシングチューブ７０の掘削刃物７１以外の部分の外径は、掘削途中の地盤との摩擦を減少させるために、公称径（１０００ｍｍ）に対して２０ｍｍ小さな９８０ｍｍとなっている。また、このケーシングチューブ７０の内径は８９０ｍｍとなっている。
【００２５】
オールケーシング工法においてケーシングチューブ７０を引き抜くまではそのケーシングチューブ７０が掘削孔の孔壁を保持している。ところが、図５に示すように、コンクリート６０を打設しつつケーシングチューブ７０を地上に向かう矢印Ｂ方向に引き抜いた際に、地中の土圧Ｐ１が、打設されたコンクリート６０が杭周地盤に与える圧力（以下、この圧力を側圧と称する）Ｐ２よりも小さい場合は、築造された場所打ちコンクリート杭の杭径が、設計杭径（１０００ｍｍ）よりも大きな杭径となる。
【００２６】
図５に示すような場合は設計杭径（１０００ｍｍ）が確保されるために問題はないものの、図６に示すように、コンクリート６０を打設しつつケーシングチューブ７０を地上に向かう矢印Ｂ方向に引き抜いた際に、地中の土圧Ｐ１が打設されたコンクリート６０の側圧Ｐ２よりも大きい場合は、築造された場所打ちコンクリート杭の杭径が、設計杭径（１０００ｍｍ）よりも小さな杭径となってしまい、設計杭径（１０００ｍｍ）が確保されないこととなる。
【００２７】
ここで、オールケーシング工法で築造された場所打ちコンクリート杭の杭径は、ケーシングチューブの特性や、地盤の種類や、地盤の状態や、オペレータの技術などといった各種要因によって、使用するケーシングチューブの公称径に対して±２０〜３０ｍｍの範囲で変動した杭径となる可能性があるものの、変動量の定量的な評価は困難であるため、設計杭径は公称径とされている。
【００２８】
ところが、例えば図５，図６を参照して説明した要因によっては、オールケーシング工法で築造された場所打ちコンクリート杭の杭径が、使用するケーシングチューブの公称径（１０００ｍｍ）に対して、すなわち設計杭径（１０００ｍｍ）に対して±２０〜３０ｍｍを超える範囲で変動した杭径となる可能性があることも知られている。
【００２９】
図６を参照して説明した、設計杭径（１０００ｍｍ）が確保されない例において、築造された場所打ちコンクリート杭の杭径が設計杭径（１０００ｍｍ）よりも３０ｍｍ以上細い杭径となる場合は、築造された場所打ちコンクリート杭が強度不足のものとなるおそれがある。そのため、設計杭径（１０００ｍｍ）よりも３０ｍｍ以上細い杭径を有する部分に、例えばコンクリートを新たに打ち直して補強するなどといった対策が必要となり、コストアップを招くこととなる。
【００３０】
本発明は、このような従来の問題を解決したもので、以下、図面を参照して本発明の実施の形態を説明する。尚、本実施形態では、１０００ｍｍの杭径を有する場所打ちコンクリート杭を、全周回転式オールケーシング工法によって地中に築造する築造方法の例を挙げて説明する。
【００３１】
図１は、本発明の場所打ちコンクリート杭の築造方法についての一実施形態のうちの改良土壌形成工程を説明する縦断面図である。
【００３２】
まず、鋼管１０を、築造すべき場所打ちコンクリート杭の直上付近に配置されたケーシング圧入装置２０にセットする。尚、鋼管１０を建て込む方法は、これに限られるものではなく、例えばバイブロハンマやアースドリル機等を用いて鋼管１０を建て込んでもよい。
【００３３】
この鋼管１０は、地中に築造すべき場所打ちコンクリート杭の杭径（１０００ｍｍ）よりも５００ｍｍ大径な、１５００ｍｍの内径を有する鋼管であって、その場所打ちコンクリート杭の上端近傍の補強すべき長さを含む深さ以上の長さを有するものである。また、この補強すべき長さは、地盤の強度、崩壊性、築造すべき場所打ちコンクリート杭の杭径等に応じて定められ、例えば、築造すべき場所打ちコンクリート杭の杭径の２倍に相当する長さとし、現地盤の状況に応じて定められる。ここでは、図１に二点鎖線で示す、地中に築造すべき場所打ちコンクリート杭の杭頭位置が地上から３ｍ深さとされている。また、補強すべき長さが、築造すべき場所打ちコンクリート杭の杭径（１０００ｍｍ）の２倍に相当する２．０ｍとされている。従って、鋼管１０は、５．０ｍ以上の長さを有するものとされている。
【００３４】
次に、ケーシング圧入装置２０を用いて鋼管１０を地上から５．０ｍ深さまで沈下した後、地上のクローラクレーン（図示せず）から吊下されたハンマーグラブ（図示せず）を吊り降ろし、そのハンマーグラブを用いて鋼管１０内の土砂を地上に搬出して第１の掘削孔１１０を掘削する。この第１の掘削孔１１０は、本発明にいう第１の掘削孔の一例に相当する。尚、第１の掘削孔１１０を掘削する方法は、これに限られるものではなく、例えばアースドリル工法で使用する掘削バケット等を用いて第１の掘削孔１１０を掘削してもよい。
【００３５】
次に、バックホー（図示せず）を用いて、地上に搬出した土砂とセメント系固化剤とを攪拌混合し、改良土を造り出す。尚、混合するセメント系固化剤の量は、現地盤の状況に応じて定められる。
【００３６】
次に、油圧ショベル（図示せず）を用いて、この改良土を転圧しながら第１の掘削孔１１０内に埋め戻して、図１に示すように改良土壌３０を形成する。その後、鋼管１０を地上に引き上げる。
【００３７】
図２は、本発明の場所打ちコンクリート杭の築造方法についての一実施形態のうちの掘削工程を説明する縦断面図である。
【００３８】
掘削刃物４１を下端に備えた場所打ちコンクリート杭築造用ケーシングチューブ（以下、ケーシングチューブと称する）４０の中心を、築造すべき場所打ちコンクリート杭の杭芯に正確に合わせて、改良土壌３０上に配置されたケーシング圧入装置２０にセットする。
【００３９】
このケーシングチューブ４０は、全周回転式オールケーシング工法において使用される、下端に掘削刃物４１を有する鋼管であって、場所打ちコンクリート杭を形成する掘削孔を掘削し、その掘削孔内にコンクリートを打設しつつ引き上げる鋼管である。また、このケーシングチューブ４０は、設計杭径が１０００ｍｍの杭径を有する場所打ちコンクリート杭を築造するために使用することを想定したものである。従って、下端に備えられた掘削刃物４１の刃先外径が、設計杭径に等しい１０００ｍｍとなっており、この１０００ｍｍがこのケーシングチューブ４０の公称径とされている。また、このケーシングチューブ４０の掘削刃物４１以外の部分の外径は、掘削途中の地盤との摩擦を減少させるために、公称径（１０００ｍｍ）に対して２０ｍｍ小さな９８０ｍｍとなっている。また、このケーシングチューブ４０の内径は８９０ｍｍとなっている。このケーシングチューブ４０は、本発明にいう場所打ちコンクリート杭築造用ケーシングチューブの一例に相当するものである。
【００４０】
ケーシング圧入装置２０にセットされたケーシングチューブ４０を、このケーシング圧入装置２０を用いて円周方向に全周回転させると共に、このケーシングチューブ４０の上部に他のケーシングチューブ４０を順次継ぎ足しながら、改良土壌３０を貫通して地盤に回転圧入する。また、地上のクローラクレーン（図示せず）から吊下されたハンマーグラブ（図示せず）を吊り降ろし、ケーシングチューブ４０によって掘削孔の孔壁の崩落を防止しながらケーシングチューブ４０内の改良土壌３０および土砂をハンマーグラブを用いて地上に搬出することによって、図２に示すように、改良土壌３０を貫通する第２の掘削孔１２０を掘削し、ケーシングチューブ４０の下端を支持地盤層１００まで沈下する。ケーシングチューブ４０の下端が支持地盤層１００に到達したら、根入掘削を行って掘削を完了する。この第２の掘削孔１２０は、本発明にいう第２の掘削孔の一例に相当する。
【００４１】
図３は、本発明の場所打ちコンクリート杭の築造方法についての一実施形態のうちのコンクリート打設工程を説明する縦断面図である。
【００４２】
次に、バケット（図示せず）を用いて第２の掘削孔１２０内のスライムを除去するスライム処理を行い、このスライム処理が完了した第２の掘削孔１２０内に、籠状に組み立てられた鉄筋５０を挿入して配筋する。
【００４３】
次に、鉄筋５０が配筋された第２の掘削孔１２０内にトレミー管（図示せず）を挿入し、図３に示すように、第２の掘削孔１２０内にこのトレミー管を用いてコンクリート６０を打設しつつケーシングチューブ４０を地上に向かう矢印Ａ方向に引き上げる。また、第２の掘削孔１２０内にコンクリート６０を打設するにあたっては、このコンクリート６０中へのスライムの混入を考慮して、図に二点鎖線で示す杭頭位置よりも８０ｃｍ程度余分に余盛りする。
【００４４】
図４は、本発明の場所打ちコンクリート杭の築造方法についての一実施形態のうちの埋め戻し工程を説明する縦断面図である。
【００４５】
最後に、図４に示すように、余盛りされたコンクリート６０の上部に、油圧ショベル（図示せず）を用いて土砂１３０を埋め戻し、場所打ちコンクリート杭の築造が完了する。
【００４６】
ここで、一般に、掘削孔の上部では、地中の土圧が、打設されたコンクリートの側圧よりも大きくなるといった現象が発生しやすく、杭頭部近傍の杭径が設計杭径よりも小さな杭径となりやすい。
【００４７】
ところが、以上説明したように、本実施形態の場所打ちコンクリート杭の築造方法によれば、この場所打ちコンクリート杭の杭頭部近傍の杭周地盤が、この場所打ちコンクリート杭の杭径よりも大径な第１の掘削孔１１０内に形成された改良土壌３０からなることとなるため、その改良土壌３０を貫通して掘削した第２の掘削孔１２０の、設計杭径よりも小さな杭径となりやすい杭頭部近傍における孔壁が自立することとなり、その第２の掘削孔１２０を掘削した時の掘削形状が保持される。
【００４８】
従って、本実施形態の場所打ちコンクリート杭の築造方法によれば、オールケーシング工法において、第２の掘削孔１２０の上部で、地中の土圧が打設されたコンクリート６０の側圧よりも大きくなるといった現象が回避されるため、築造された場所打ちコンクリート杭において、設計杭径に略等しい杭径以上の杭径が確保される。
【００４９】
尚、本実施形態では、全周回転式オールケーシング工法による場所打ちコンクリート杭の築造方法の例について説明したが、本発明の場所打ちコンクリート杭の築造方法はこれに限られるものではなく、例えば揺動式オールケーシング工法による場所打ちコンクリート杭の築造方法であってもよい。
【００５０】
また、本実施形態では、１０００ｍｍの杭径を有する場所打ちコンクリート杭の築造方法の例について説明したが、本発明の場所打ちコンクリート杭の築造方法はこれに限られるものではなく、いかなる杭径を有する場所打ちコンクリート杭の築造方法にも適用できる。
【図面の簡単な説明】
【００５１】
【図１】本発明の場所打ちコンクリート杭の築造方法についての一実施形態のうちの改良土壌形成工程を説明する縦断面図である。
【図２】本発明の場所打ちコンクリート杭の築造方法についての一実施形態のうちの掘削工程を説明する縦断面図である。
【図３】本発明の場所打ちコンクリート杭の築造方法についての一実施形態のうちのコンクリート打設工程を説明する縦断面図である。
【図４】本発明の場所打ちコンクリート杭の築造方法についての一実施形態のうちの埋め戻し工程を説明する縦断面図である。
【図５】オールケーシング工法におけるケーシングチューブを引き抜く工程の縦断面図である。
【図６】オールケーシング工法におけるケーシングチューブを引き抜く工程の縦断面図である。
【符号の説明】
【００５２】
１０    鋼管
２０    ケーシング圧入装置
３０    改良土壌
４０，７０    ケーシングチューブ
４１，７１    掘削刃物
５０    鉄筋
６０    コンクリート
１００    支持地盤層
１１０    第１の掘削孔
１２０    第２の掘削孔
１３０    土砂
【図１】
2008014000.tif 000003
【図２】
2008014000.tif 000004
【図３】
2008014000.tif 000005
【図４】
2008014000.tif 000006
【図５】
2008014000.tif 000007
【図６】
2008014000.tif 000008